(57)【要約】【課題】個人情報を保護するとともに、最適な救命処置をおこないながら適当な医師のいる病院へ患者を搬送すること。【解決手段】指令センタ２に、市民３の既往症、投薬状況および希望しない治療方法などの救急用情報、市民３の指紋情報、救急用情報を閲覧する救急隊員や医師４の指紋情報、並びに救急指定病院５の当直医師６およびその診療分野をデータベース化しておく。患者の指紋に基づいて、データベースからその患者の救急用情報を取得する。救急隊員の指紋に基づいて、その救急隊員が救急用情報の閲覧権を有することをチェックする。また、指令センタ２に常駐する医師４あるいは指令センタ外にいる医師の指紋に基づいて、その医師４が救急用情報の閲覧権を有することをチェックする。そして、閲覧権を有する医師４が患者の救急用情報を見て、閲覧権を有する救急隊員に対して、その患者に最適な救命処置および搬送先病院を指示する。【選択図】        図１
2004357843.tif 000002
【特許請求の範囲】
【請求項１】
患者となり得る市民の治療に必要な救急用情報および当該市民の身体的な特徴よりなる患者識別情報、前記救急用情報を閲覧する救急隊員の身体的な特徴よりなる救急隊員識別情報、前記救急用情報を閲覧する医師の身体的な特徴よりなる医師識別情報、並びに複数の救急指定病院における診療可能な状態にある医師および当該医師の診療分野を記憶したデータベースと、
患者識別情報に基づいて患者を特定し、特定された患者の救急用情報を抽出して表示するとともに、救急隊員識別情報または医師識別情報に基づいて前記救急用情報の閲覧権の有無を判断するサーバを有し、かつ前記サーバにより表示された前記救急用情報を閲覧して救急隊員に対する指示をおこなう医師が常駐する指令センタと、
搬送中の患者の患者識別情報、当該患者の状態、および患者を搬送中の救急隊員の救急隊員識別情報を取得して前記サーバに送信するとともに、前記指令センタの医師から送られてきた搬送中の患者に対する救命処置および搬送先病院の指示を受信する移動端末を備えた救急車両と、
前記サーバと前記移動端末とを接続する通信網と、
を具備することを特徴とする救急医療システム。
【請求項２】
患者となり得る市民の治療に必要な救急用情報および当該市民の身体的な特徴よりなる患者識別情報、前記救急用情報を閲覧する救急隊員の身体的な特徴よりなる救急隊員識別情報、前記救急用情報を閲覧する医師の身体的な特徴よりなる医師識別情報、並びに複数の救急指定病院における診療可能な状態にある医師および当該医師の診療分野を記憶したデータベースと、
患者識別情報に基づいて患者を特定し、特定された患者の救急用情報を抽出するとともに、救急隊員識別情報または医師識別情報に基づいて前記救急用情報の閲覧権の有無を判断するサーバを有する指令センタと、
前記サーバにより抽出された前記救急用情報を前記指令センタの外にいる、前記救急用情報の閲覧権を有し、かつ救急隊員に対する指示をおこなう医師に対して表示する表示端末と、
搬送中の患者の患者識別情報、当該患者の状態、および患者を搬送中の救急隊員の救急隊員識別情報を取得して前記サーバに送信するとともに、前記指令センタの外にいる医師から送られてきた搬送中の患者に対する救命処置および搬送先病院の指示を受信する移動端末を備えた救急車両と、
前記サーバと前記表示端末と前記移動端末とを接続する通信網と、
を具備することを特徴とする救急医療システム。
【発明の詳細な説明】
【０００１】
【発明の属する技術分野】
本発明は、患者を搬送中の救急隊員に対して、医師による適切な救命処置の指示と搬送先病院の指示をおこなう救急医療システムに関する。
【０００２】
【従来の技術】
従来より、あらかじめ患者となり得る市民の氏名とともに健康診断結果やカルテ等をデータベースに登録しておき、救命救急等の緊急時に、患者が携帯している磁気カード等を用いてそのデータベースから既往歴や投薬状況等の情報を取得して、治療に役立てるシステムが開発されている。
また、救急車が患者のところに到着するまでの間に、通行人等の非医療従事者に、当該非医療従事者が患者に対しておこない得る応急処置内容を知らせるシステムが開発されている（例えば、特許文献１参照）。
【０００３】
【特許文献１】
特開２００３−１１１７３５号公報（図１）
【０００４】
【発明が解決しようとする課題】
しかしながら、上述した従来のシステムでは、データベースへの不正アクセス等によって、氏名により特定された市民の個人情報が漏洩する危険性があるという問題点があった。また、データベースには、治療に対する患者の要望が登録されていないため、意識のない患者に対して、思想や宗教の教義に反する治療がおこなわれてしまうことがあるという問題点があった。
また、各救急指定病院の医師の勤務状況が正確に把握されていないため、患者を搬送した病院に適当な専門分野の医師がいないことがあり、そのような場合に再度別の病院に患者を搬送しなければならないという問題点があった。さらに、市民が常時、磁気カード等を携帯しているか否かという問題点もあった。
【０００５】
そこで、本発明は上記問題点に鑑みてなされたものであって、患者の個人情報を保護するとともに、搬送中の患者にとって最適な救命処置をおこないながら、その患者の治療に適した病院へ患者を搬送することを可能とする救急医療システムを提供することを目的とする。
【０００６】
【課題を解決するための手段】
上記目的を達成するため、本発明にかかる救急医療システムは、患者となり得る市民の治療に必要な救急用情報および当該市民の身体的な特徴よりなる患者識別情報、前記救急用情報を閲覧する救急隊員の身体的な特徴よりなる救急隊員識別情報、前記救急用情報を閲覧する医師の身体的な特徴よりなる医師識別情報、並びに複数の救急指定病院における診療可能な状態にある医師および当該医師の診療分野を記憶したデータベースと、患者識別情報に基づいて患者を特定し、特定された患者の救急用情報を抽出して表示するとともに、救急隊員識別情報または医師識別情報に基づいて前記救急用情報の閲覧権の有無を判断するサーバを有し、かつ前記サーバにより表示された前記救急用情報を閲覧して救急隊員に対する指示をおこなう医師が常駐する指令センタと、搬送中の患者の患者識別情報、当該患者の状態、および患者を搬送中の救急隊員の救急隊員識別情報を取得して前記サーバに送信するとともに、前記指令センタの医師から送られてきた搬送中の患者に対する救命処置および搬送先病院の指示を受信する移動端末を備えた救急車両と、前記サーバと前記移動端末とを接続する通信網と、を具備することを特徴とする。
【０００７】
この発明によれば、救急車両で搬送中の患者を患者識別情報により特定し、その患者の治療に必要な救急用情報を、指令センタに常駐し、かつ救急用情報の閲覧権を有する医師が見て、救急用情報の閲覧権を有する救急隊員に対して、適切な救命処置の指示および搬送先病院の指示をおこなうことができる。
【０００８】
また、上記目的を達成するため、本発明にかかる救急医療システムは、患者となり得る市民の治療に必要な救急用情報および当該市民の身体的な特徴よりなる患者識別情報、前記救急用情報を閲覧する救急隊員の身体的な特徴よりなる救急隊員識別情報、前記救急用情報を閲覧する医師の身体的な特徴よりなる医師識別情報、並びに複数の救急指定病院における診療可能な状態にある医師および当該医師の診療分野を記憶したデータベースと、患者識別情報に基づいて患者を特定し、特定された患者の救急用情報を抽出するとともに、救急隊員識別情報または医師識別情報に基づいて前記救急用情報の閲覧権の有無を判断するサーバを有する指令センタと、前記サーバにより抽出された前記救急用情報を前記指令センタの外にいる、前記救急用情報の閲覧権を有し、かつ救急隊員に対する指示をおこなう医師に対して表示する表示端末と、搬送中の患者の患者識別情報、当該患者の状態、および患者を搬送中の救急隊員の救急隊員識別情報を取得して前記サーバに送信するとともに、前記指令センタの外にいる医師から送られてきた搬送中の患者に対する救命処置および搬送先病院の指示を受信する移動端末を備えた救急車両と、前記サーバと前記表示端末と前記移動端末とを接続する通信網と、を具備することを特徴とする。
【０００９】
この発明によれば、救急車両で搬送中の患者を患者識別情報により特定し、その患者の治療に必要な救急用情報を、指令センタの外にいる、救急用情報の閲覧権を有する医師が見て、救急用情報の閲覧権を有する救急隊員に対して、適切な救命処置の指示および搬送先病院の指示をおこなうことができる。
【００１０】
【発明の実施の形態】
以下に、本発明の実施の形態について図面を参照しつつ詳細に説明する。図１は、本発明にかかる救急医療システムの概略を説明するための概念図である。
図１に示すように、実施の形態の救急医療システムでは、救急車両１に対して救命処置や搬送先病院を迅速かつ適切に指導するための指令センタ２が設置されている。指令センタ２には、救急用情報の登録を希望する市民３の救急用情報を蓄積したデータベースが用意されている。
【００１１】
救急用情報としては、たとえば身長や体重等の身体的な情報、健康診断結果の情報、既往歴や持病や投薬状況等の治療情報、カルテ、治療に対する要望、および本人を確認するための情報などである。
治療に対する要望としては、たとえば思想や宗教などとの関係で希望しない治療法などがある。本人を確認するための情報としては、たとえば住んでいる町名、家族の名前、ペットの名前、出身地、好きな食べ物、または趣味などのキーワードである。
【００１２】
指令センタ２には医師４が常駐している。患者を搬送している救急車両１からは、その患者が誰であるかを特定する情報や、患者の病気やケガの状態が指令センタ２に送信される。指令センタ２の医師４は、救急車両１で搬送されている患者の救急用情報をデータベースから取得し、その患者にとって最適な救命処置内容を救急車両１に指示する。
特に図示していないが、指令センタ２に常駐する医師４に限らず、診療所にいる医師や在宅の医師が同様のことをおこなうようにしてもよい。
【００１３】
また、データベースには、救急指定病院５において診療可能な状態にある医師、すなわち当直の医師６とその医師６の診療科や専門分野などの勤務状況の情報が蓄積されている。
この勤務状況情報は、当直している医師６の変更にあわせて随時更新される。指令センタ２の医師４は、救急指定病院５の当直医師６の情報をデータベースから取得し、その患者の治療に適した医師６が当直している救急指定病院５を搬送先に指定し、救急車両１に指示する。
【００１４】
救急用情報を登録した市民３の個人情報を保護するため、市民３はデータベースに救急用情報を匿名で登録することができる。その代わり、患者となった市民３を特定するため、市民３は指紋や虹彩など、各人に固有の身体的な特徴を救急用情報とともに登録する。
また、救急医療に無関係の人が市民３の救急用情報を閲覧するのを防ぐため、指令センタ２の医師４や救急隊員についても、データベースに各人の身体的な特徴を登録しておく。そして、指令センタ２の医師４や救急隊員が、市民３の救急用情報を閲覧する権利を有しているか否かをチェックする。
【００１５】
本明細書では、消防庁に属する通常の救急車は勿論であるが、それ以外の救急患者を搬送する車両も含めて、救急車両とする。
【００１６】
つぎに、本発明にかかる救急医療システムの具体例について説明する。図２は、本発明にかかる救急医療システムの一例を示すブロック図である。
図２において、１０は指令センタ、２０は救急車両、３０および３１は救急指定病院、４０および４１は診療所、５０および５１は医師宅である。なお、救急車両、救急指定病院、診療所または医師宅の数は、図示例に限らない。
【００１７】
指令センタ１０には、データベース１１、データベース１１を管理するサーバ１２、および指令センタ１０に常駐する医師が使用する医師操作端末１３が設けられている。
データベース１１には、市民の救急用情報および市民を識別するための指紋情報（患者識別情報）１４、救急隊員を識別するための指紋情報（救急隊員識別情報）１５、医師を識別するための指紋情報（医師識別情報）１６、および救急指定病院３０，３１の当直医師の勤務状況の情報（医師勤務状況情報）１７が蓄積されている。
【００１８】
救急車両２０には、救急隊員が使用する移動端末２１が設けられている。救急指定病院３０，３１には、それぞれ各救急指定病院３０，３１のオペレータが、当直医師の勤務状況の情報を登録する際に使用する勤務状況入力端末３２，３３が設けられている。
診療所４０，４１には、それぞれ各診療所４０，４１にいる医師が使用する医師操作端末４２，４３が設けられている。医師宅５０，５１には、それぞれ在宅している医師が使用する医師操作端末５２，５３が設けられている。これら医師操作端末４２，４３，５２，５３は、指令センタ１０の外にいる医師に患者の救急用情報を表示する表示端末としての機能を有する。
【００１９】
指令センタ１０のサーバ１２および医師操作端末１３、救急車両２０の移動端末２１、救急指定病院３０，３１の勤務状況入力端末３２，３３、診療所４０，４１の医師操作端末４２，４３、並びに医師宅５０，５１の医師操作端末５２，５３は、通信網６０に接続されている。
特に限定しないが、サーバ１２、医師操作端末１３，４２，４３，５２，５３および勤務状況入力端末３２，３３は、たとえば有線回線により通信網６０に接続されている。救急車両２０の移動端末２１は、無線回線により通信網６０に接続されている。
【００２０】
図３は、サーバ１２のハードウェア構成の一例を示すブロック図である。図３に示すように、たとえば後述の流れ図に従って記述されたプログラム等を実行するＣＰＵ（中央処理装置）７１、メモリ手段としてのＲＯＭ（リードオンリメモリ）７２、ＲＡＭ（ランダムアクセスメモリ）７３、ＨＤＤ（ハードディスクドライブ）７４、ＦＤＤ（フレキシブルディスクドライブ）７６等、ディスプレイ７８、通信インターフェイス（Ｉ／Ｆ）７９、キーボード８１、マウス等（種々のポインティング・デバイスを含む）８２、スキャナ８３、プリンタ８４およびＣＤ−ＲＯＭドライブ等（書き込み可能なタイプや、ＤＶＤドライブを含む）８６が、バス７０を介して相互に接続された構成となっている。
【００２１】
たとえば、指令センタ１０のデータベース１１は、ＨＤＤ７４によりデータの書き込みおよび読み出しが制御されるＨＤ（ハードディスク）７５、またはＣＤ−ＲＯＭドライブ等８６によりデータの書き込みおよび読み出しが制御されるＣＤ−ＲＯＭ等（書き込み可能なタイプや、ＤＶＤ（デジタルバーサティルディスク）を含む）８５などに格納される。データベース１１からは、たとえば公知の検索ソフトウェアなどによって、所望のデータ、たとえば救急用情報が抽出される。データベース１１から抽出された救急用情報は、ディスプレイ７８にまたはプリンタ８４に出力される。
【００２２】
スキャナ８３は画像を光学的に読み取るための装置であり、指紋を読み取るために使用される。スキャナ８３により読み取られた指紋画像に対して、たとえば公知の指紋認証ソフトウェアなどによって特徴点が抽出され、その特徴点がデータベース１１に登録される。
通信インターフェイス７９は、有線または無線の通信回線８０を介して通信網６０に接続され、通信網６０と内部とのインターフェイスを司る。通信網６０としては、たとえばインターネットを利用することができる。なお、図３において、７７はＦＤ（フレキシブルディスク）である。
【００２３】
各医師操作端末１３，４２，４３，５２，５３、勤務状況入力端末３２，３３および移動端末２１の構成も、サーバ１２の構成と同様である。
【００２４】
つぎに、データベース１１に救急用情報を登録する処理について説明する。図４は、データ登録処理をおこなう際のプログラムの流れ図（フローチャート）である。
図４に示すように、データベース１１に救急用情報を登録する際には、まず、ステップＳ１において指令センタ１０などに設置されている登録処理用の端末（サーバ１２でもよい）をオペレータが操作し、その端末のスキャナを用いてオペレータの指紋を読み取る。
次にステップＳ２に進み、サーバ１２では、オペレータの指紋画像の特徴点と、データベース１１に登録されている指紋情報とを照合する。
【００２５】
照合の結果、データベース１１に、オペレータの指紋画像の特徴点と一致する特徴を有する指紋情報が登録されていれば、ステップ３に進み、処理の終了か否かの判断を経て、ステップ４においてデータ登録作業をおこなう。一方、データ登録作業が終了したら、処理を終了する。
なお、データベース１１には、あらかじめオペレータの指紋情報も登録されている。
【００２６】
図５は、データ登録作業の手順の一例を示すフローチャートである。データ登録作業を開始すると、まず、ステップＳ５１においてオペレータが使用している端末のスキャナを用いて、救急用情報を登録する市民の指紋を読み取り、ステップＳ５２に進み、指紋認証ソフトウェアにより、読み取られた指紋画像の数値化およびハッシュ化をおこない、指紋画像の特徴点を指紋情報として抽出する。
【００２７】
つづいて、ステップＳ５３に進み、同じ端末を操作して、登録する救急用情報を入力する。ただし、氏名や住所や電話番号等の個人を特定することができる情報の入力については、任意である。
すなわち、市民は、救急用情報の登録を匿名でおこなうことができる。入力された救急用情報、およびステップＳ５２で抽出された指紋情報は、データベース１１に仮登録される（ステップＳ５４）。
【００２８】
そして、ステップＳ５５に進み、データベース１１に救急用情報および指紋情報を正式に登録してもよければ、ステップＳ５６に進み、データベース１１への登録内容を確定して正式に登録し、データ登録作業を終了する。
一方、仮登録された情報の正式な登録を取り消して（ステップＳ５７）、データ登録作業を終了することもできる。
【００２９】
なお、救急用情報を登録した本人が、身長や体重等、健康診断結果、または治療に対する要望などの情報を閲覧したり、更新する際には、本人の指紋の入力が必要である。そして、指紋情報の照合により本人であることが確認されたときにのみ、本人の情報を閲覧したり、更新することができる。
【００３０】
次に、救急現場での運用の形態について説明する。図６は、救急対処処理をおこなう際のフローチャートである。
図６に示すように、ステップ６１において指令センタ１０に常駐する医師は、指令センタ１０の医師操作端末１３（サーバ１２でもよい）を操作し、その端末１３のスキャナを用いて指紋を入力する。
救急車両２０に指令を出す医師が、指令センタ１０に常駐する医師ではなく、診療所にいる医師や在宅の医師である場合には、それぞれの医師は、診療所４０，４１の医師操作端末４２，４３または医師宅５０，５１の医師操作端末５２，５３のスキャナより指紋を入力する。
【００３１】
次に、ステップＳ６２に進み、サーバ１２では、医師の指紋画像の特徴点と、データベース１１に登録されている指紋情報とを照合し、照合の結果、データベース１１に、医師の指紋画像の特徴点と一致する特徴を有する指紋情報が登録されていれば、ステップ６３の終了確認の判断を経て、ステップ６４に進み、救急対処作業をおこなう。
なお、ステップＳ６３において、救急対処作業の終了が判断された場合にはそのまま処理を終了する。
【００３２】
図７は、救急対処作業の手順の一例を示すフローチャートである。
救急車両２０で患者を搬送する際に、まず、ステップＳ７１において、救急隊員は、救急車両２０の移動端末２１を操作し、その端末２１のスキャナを用いて指紋を入力する。
次に、入力された指紋画像のデータは、通信網６０を介してサーバ１２に送られるが、ステップ７２に進み、サーバ１２では、救急隊員の指紋画像の特徴点と、データベース１１に登録されている指紋情報とを照合する。
【００３３】
照合の結果、データベース１１に、救急隊員の指紋画像の特徴点と一致する特徴を有する指紋情報が登録されていれば、救急車両２０の移動端末２１に、患者の指紋入力を促すメッセージ等が表示される。それを見て、救急隊員は、移動端末２１のスキャナを用いて患者の指紋を読み取る（ステップＳ７３）。
次にステップ７４に進み、読み取られた患者の指紋画像データは、通信網６０を介してサーバ１２に送られ、指紋認証ソフトウェアにより、指紋画像の数値化およびハッシュ化をおこない、指紋画像の特徴点を指紋情報として抽出する。
【００３４】
次にステップ７５に進み、患者の指紋画像の特徴点と、データベース１１に登録されている指紋情報とを照合することによって、患者の救急用情報を検索する。
そして、ステップＳ７６に進み、データベース１１に該当する救急用情報があるか否かが判断され、ＹｅｓであればステップＳ７７に進み、その救急用情報を抽出して指令センタ１０の医師操作端末１３（サーバ１２でもよい）に表示する。
救急車両２０に指令を出す医師が、診療所にいる医師や在宅の医師である場合には、診療所４０，４１の医師操作端末４２，４３または医師宅５０，５１の医師操作端末５２，５３に患者の救急用情報を表示する
なお、ステップ７６において、Ｎｏであれば、そのまま処理を終了する。
【００３５】
救急車両２０に指令を出す医師は、救急隊員または患者と連絡をとり、本人を確認するための情報を確認することにより、その表示された救急用情報が患者のものであることを確認する。
表示された救急用情報が患者のものであることを確認されたら、救急隊員は、救急車両２０に指令を出す医師に直接または指令センタ１０を介して、患者の病状やケガの状況を知らせるとともに、指示を仰ぐ。
【００３６】
その際、通信網６０のプロトコルを利用した電話、たとえばインターネット・プロトコルを利用した、いわゆるＩＰ電話により、患者の病状やケガの状況を伝えてもよいし、ウェブカメラを利用して患者を映した画像のデータを送ってもよい。なお、自動車電話や携帯電話を用いて患者の病状やケガの状況を伝えることもできる。
【００３７】
救急車両２０に指令を出す医師は、表示された救急用情報を見、患者の病状やケガの状況を考慮して、患者に最適な救命処置を決定し、それを救急隊員に指示する。
この指示は、自動車電話や携帯電話を利用した音声情報により伝えられてもよいし、移動端末２１を利用した電子メール等による文字情報やＩＰ電話による音声情報により伝えられてもよいし、あるいはファクシミリによる文字情報により伝えられてもよい。
【００３８】
また、救急車両２０に指令を出す医師は、医師操作端末１３を操作して、医師操作端末１３に医師勤務状況情報１７を表示する。そして、その医師勤務状況情報１７に基づいて、患者の治療に適した医師が当直している救急指定病院３０，３１を搬送先病院に決定し、それを自動車電話や携帯電話、電子メール等、ＩＰ電話またはファクシミリなどを利用して救急隊員に指示する。同時に、搬送先病院に決まった救急指定病院３０，３１にも、指令センタ１０から患者の状況などが伝えられる。
それによって、搬送先病院では、患者の受け入れ準備がおこなわれる。そして、搬送先病院で患者を受け入れることにより、救急対処作業が終了する。
【００３９】
上述した実施の形態によれば、データベース１１に匿名で救急用情報を登録することによって、万一、データベース１１から救急用情報が漏洩しても、その情報が誰の情報であるかは本人しかわからないので、データとしての意味をなさない。したがって、個人情報を保護することができる。
【００４０】
また、実施の形態によれば、患者の救急用情報を確認して救命処置内容を決めることができるので、適切な救命処置をおこなうことができる。また、救急用情報に患者の希望しない治療法を登録することができるので、患者の思想や宗教に配慮した治療をおこなうことができる。また、救急指定病院３０，３１の当直医の勤務状況を確認して患者の搬送先病院を決めることができるので、患者を治療するのに最適な病院を搬送先に指定することができる。したがって、搬送中の患者にとって、最良の救命処置を受けることができ、また搬送先病院において適切な医師の治療を受けることができる。
【００４１】
また、実施の形態によれば、指紋など、患者に固有の身体的な特徴に基づいて、データベース１１から患者の救急用情報を抽出するので、データベース１１に救急用情報が登録してあれば、磁気カードの所持の有無にかかわらず、身元不明の患者に対しても、適切な救命処置および搬送先病院の指定をおこなうことができる。
また、医師から救急隊員に直接、適切な救命処置および適切な搬送先病院が指示されるので、救急隊員の負担を軽減することができる。また、患者にとっても、従来のようにカードを常時、携帯する必要がないので、負担が軽減される。
【００４２】
なお、市民や救急隊員や医師を識別する情報として、指紋以外にも虹彩等を利用することもできる。その場合には、指令センタ１０の医師操作端末１３またはサーバ１２、救急車両２０の移動端末２１、診療所４０，４１の医師操作端末４２，４３および医師宅５０，５１の医師操作端末５２，５３に、虹彩を測定する装置を接続する必要がある。また、指紋や虹彩などの個人に固有の身体的な特徴に代えて、個人識別記号を暗号化してメモリや磁気カードに保存したものを各人に携帯させるようにしてもよい。
【００４３】
【発明の効果】
本発明によれば、救急車両で搬送中の患者を患者識別情報により特定し、その患者の治療に必要な救急用情報を、指令センタに常駐し、かつ救急用情報の閲覧権を有する医師、または指令センタの外にいる、救急用情報の閲覧権を有する医師が見て、救急用情報の閲覧権を有する救急隊員に対して、適切な救命処置の指示および搬送先病院の指示をおこなうことができる。
したがって、患者の個人情報を保護するとともに、搬送中の患者にとって最適な救命処置をおこないながら、その患者の治療に適した病院へ患者を搬送することができる。
【図面の簡単な説明】
【図１】本発明にかかる救急医療システムの概略を説明するための概念図、
【図２】本発明にかかる救急医療システムの一例を示すブロック図、
【図３】本発明にかかる救急医療システムを構成するサーバのハードウェア構成の一例を示すブロック図、
【図４】本発明にかかる救急医療システムにおいてデータ登録処理をおこなう際のフローチャート、
【図５】データ登録作業の手順の一例を示すフローチャート、
【図６】本発明にかかる救急医療システムにおいて救急対処処理をおこなう際のフローチャート、
【図７】救急対処作業の手順の一例を示すフローチャートである。
【符号の説明】
１，２０  救急車両
２，１０  指令センタ
３  市民
４  指令センタの医師
５，３０，３１  救急指定病院
６  救急指定病院の医師
１１  データベース
１２  サーバ
１４  救急用情報および患者識別情報
１５  救急隊員識別情報
１６  医師識別情報
１７  救急指定病院における医師勤務状況情報
２１  移動端末
４２，４３，５２，５３  表示端末（医師操作端末）
６０  通信網
【図１】
2004357843.tif 000003
【図２】
2004357843.tif 000004
【図３】
2004357843.tif 000005
【図４】
2004357843.tif 000006
【図５】
2004357843.tif 000007
【図６】
2004357843.tif 000008
【図７】
2004357843.tif 000009